(57)【要約】  【課題】設置する室の大きさ間取り等に応じて簡単に配置替えできる、右脳的作業、左脳的作業及び中間作業に適した平面視形状と色彩が各々異なる３種類の机からなる机システムを提供する。  【解決手段】  机天板５と机上パネル１０とからなる第１机１と、机天板６と机上パネル１１とからなる第２机２と、机天板７と机上パネル１２からなる第３机３は各々移動可能であり、第３机３を挟んで第１机１を右側に、第２机２を左側にて平面視コ字型に配置する態様と、平面視Ｌ字型に配置する態様とに配置替え可能とする。  【選択図】  図１
2005287620.tif 000002
【特許請求の範囲】
【請求項１】
それぞれ異型且つ異色の机天板を有し、且つ各机天板に机上パネルを備えた３種類の移動可能な机からなり、これらの複数の机を組み合わせて平面視略コ字状またはＬ字状に配置替え可能に構成したことを特徴とする机システム。
【請求項２】
一方の机天板の平面視形状がＬ字型であって、他方の机天板の平面視形状がＩ字型であり、且つそれぞれ異色の机天板を有し、且つ各机天板に机上パネルを備えた２種類の移動可能な机からなり、これらの机を組み合わせて平面視略コ字状またはＬ字状に配置替え可能に構成したことを特徴とする机システム。
【請求項３】
右側に配置される机における前記机天板は平面視Ｌ字型に形成され、この机天板に対する机上パネルは当該机天板の外側角部を含むように平面視Ｌ字型に形成され、
左側に配置される机における前記机上パネルは当該机天板の背面側に沿う平面視Ｉ字型で、且つ開放的に形成されていることを特徴とする請求項１または２に記載の机システム。
【請求項４】
右側に配置される机における前記机天板は、少なくともその前縁の一部が平面視で湾曲または突出していることを特徴とする請求項３に記載の机システム。
【請求項５】
前記右側に配置される机における机上パネルの前面には、当該机天板の外側角部を含む部位に中間棚板を配置したことを特徴とする請求項３または４に記載の机システム。
【請求項６】
前記複数の机上パネルのうち少なくとも１つの机上パネルには、ピンナップボード、ホワイトボード、ハンギングパネル等の機能ボードを着脱可能に設けたことを特徴とする請求項１〜５のいずれかに記載の机システム。
【請求項７】
前記左側に配置される机には、その一側の短辺に沿う脚体にキャスタを設け、他側の短辺に沿う脚体にアジャスタを設けたことを特徴とする請求項３〜５のいずれかに記載の机システム。
【発明の詳細な説明】
【技術分野】
【０００１】
本発明は、個人の知的活動や能力を促進できるように机天板の前に着座する人の向きによって雰囲気を変更させた机システムに関するものである。
【背景技術】
【０００２】
最近、オフィスオートメーション（ＯＡ）化の発達に伴い、オフィス環境を向上させることが重要視され、独立環境性や照明効果等の人間工学的観点から、例えば、特許文献１や特許文献２では、オフィスの大きい室を低い間仕切で仕切ったワークスペースからなる机システムが開示されている。また、特許文献３では、平面視で非矩形状の机天板の背面に目隠しのため衝立パネルを備え、この衝立パネルの前面には違い棚を設けた机の構成が開示されている。
【０００３】
さらに、特許文献４では事務処理を効率良く行え、仮眠が可能な環境を提供できる事務環境設備として、移動可能な壁材（間仕切パネル）で平面視方形状に区画した内部に前記壁材に机天板と、その机天板の下方で壁材コーナ部に足掛けと傾倒した背もたれを支持する支柱付きの椅子とを備えたものが開示されている。
【０００４】
しかしながら、前記従来の構成では、作業者が一定の机天板の方向を向いて種々の作業を実行している。即ち、左脳的作業である計算業務を実行したり、右脳的作業であるデザイン創作をしたり、その途中で他の部署や外部の人と連絡する等の情報の交換作業を実行しているにも拘らず、作業者の取り巻く環境が一定のままであるため、作業者の頭脳に対する刺激が低下し、作業能率が低下するという問題があった。
【０００５】
そこで、本出願人等は、先に、特許文献５において、個室内に配置する机天板の向きを、計算作業等の左脳的作業用と、デザイン創作活動等の右脳的作業用と、その他（例えば、パーソナルコンピュータによるまとめ作業、電話、インターネットによる通信作業等）の中間的作業用とに分ける。即ち、それらの机天板の向き（ひいては机天板の前の椅子に座る人の向き）が３方向になるように配置し、それぞれの作業に最適な環境を創るべく、机天板の配置や材質等を工夫したワークスペースシステムについて提案した。
【特許文献１】特公平６−３６７７２号公報
【特許文献２】意匠登録第８１９００８号公報
【特許文献３】特開平６−１４１９３０号公報
【特許文献４】実開平５−１５８３９号公報
【特許文献５】特開２００２−１２１９１７号公報
【発明の開示】
【発明が解決しようとする課題】
【０００６】
しかしながら、特許文献５の構成によれば、事務所等の室内にさらに完全に区画された密閉室を作るものであったから、システムが大型化となるという問題があった。
【０００７】
また、特許文献１〜４のいずれも机天板の種類が１つであるため、それら複数の机天板の平面視での配置を代えても、作業環境（雰囲気）に大幅な変更を期待できないという問題があった。
【０００８】
本発明は、前記先行技術の問題点を解消し、それぞれ異型且つ異色の机天板を有し、且つ各机天板に机上パネルを備えた複数種類の移動可能な机の組み合わせであって、これらの机の配置替えを容易に行えて、右脳的作業及び左脳的作業ごとに最適な環境を付与でき、コンパクトな机システムを提供することを目的とするものである。
【課題を解決するための手段】
【０００９】
前記目的を達成するため、請求項１に記載の発明の机システムは、それぞれ異型且つ異色の机天板を有し、且つ各机天板に机上パネルを備えた３種類の移動可能な机からなり、これらの複数の机を組み合わせて平面視略コ字状またはＬ字状に配置替え可能に構成したものである。
【００１０】
請求項２に記載の発明は、一方の机天板の平面視形状がＬ字型であって、他方の机天板の平面視形状がＩ字型であり、且つそれぞれ異色の机天板を有し、且つ各机天板に机上パネルを備えた２種類の移動可能な机からなり、これらの机を組み合わせて平面視略コ字状またはＬ字状に配置替え可能に構成したものである。
【００１１】
請求項３に記載の発明は、請求項１または２に記載の机システムにおいて、右側に配置される机における前記机天板は平面視Ｌ字型に形成され、この机天板に対する机上パネルは当該机天板の外側角部を含むように平面視Ｌ字型に形成され、左側に配置される机における前記机上パネルは当該机天板の背面側に沿う平面視Ｉ字型で、且つ開放的に形成されているものである。
【００１２】
そして、請求項４に記載の発明は、請求項３に記載の机システムにおいて、右側に配置される机における前記机天板は、少なくともその前縁の一部が平面視で湾曲または突出しているものである。
【００１３】
請求項５に記載の発明は、請求項３または４に記載の机システムにおいて、前記右側に配置される机における机上パネルの前面には、当該机天板の外側角部を含む部位に中間棚板を配置したものである。
【００１４】
請求項６に記載の発明は、請求項１〜５のいずれかに記載の机システムにおいて、前記複数の机上パネルのうち少なくとも１つの机上パネルには、ピンナップボード、ホワイトボード、ハンギングパネル等の機能ボードを着脱可能に設けたものである。
【００１５】
請求項７に記載の発明は、請求項３〜５のいずれかに記載の机システムにおいて、前記左側に配置される机には、その一側の短辺に沿う脚体にキャスタを設け、他側の短辺に沿う脚体にアジャスタを設けたものである。
【発明の効果】
【００１６】
請求項１に記載の発明によれば、平面視略コ字状またはＬ字状に配置した机の前に位置した作業者が机天板に対する向きを変えるだけで、当該机天板及び／又は机上パネルの質感、色彩等の雰囲気が変わり、作業の種類に応じて作業者の気分転換を図って個人の創造力及び作業能率を向上させることができる。さらに、３種類の机はそれぞれ分離されており、個々の机を移動できるから、ユーザの好みや室の大きさ、室の形状（間取り）等に応じて、本発明の机システムを平面視略コ字状またはＬ字状に簡単に配置替えでき、レイアウトの柔軟性（多様性）が向上するという効果を奏する。
【００１７】
請求項２に記載の発明によれば、一方の机天板の平面視形状がＬ字型であって、他方の机天板の平面視形状がＩ字型であるという２種類の机からなるが、その他の構成は請求項１の発明と同じであり、請求項１の発明と同様の作用効果を奏することができる。
【００１８】
請求項３に記載の発明は、請求項１または２に記載の机システムにおいて、右側に配置される机における前記机天板は平面視Ｌ字型に形成され、この机天板に対する机上パネルは当該机天板の外側角部を含むように平面視Ｌ字型に形成され、左側に配置される机における前記机上パネルは当該机天板の背面側に沿う平面視Ｉ字型で、且つ開放的に形成されているものであるから、室外からの採光や通気に対して最適の環境を得るようにこの机システムを配置することができる。
【００１９】
そして、請求項４に記載の発明は、請求項３に記載の机システムにおいて、右側に配置される机における前記机天板は、少なくともその前縁の一部が平面視で湾曲または突出しているものであるから、この机天板の前に座る人の作業性を向上させることができ、且つ机天板の奥側のコーナ部の面積を大きくでき利用価値も向上する。
【００２０】
請求項５に記載の発明は、請求項３または４に記載の机システムにおいて、前記右側に配置される机における机上パネルの前面には、当該机天板の外側角部を含む部位に中間棚板を配置したものである。
【００２１】
請求項６に記載の発明は、請求項１〜５のいずれかに記載の机システムにおいて、前記複数の机上パネルのうち少なくとも１つの机上パネルには、ピンナップボード、ホワイトボード、ハンギングパネル等の機能ボードを着脱可能に設けたものであるから、ユーザの好みや用途に応じて机上パネルの雰囲気を変えることができる。
【００２２】
請求項７に記載の発明は、請求項３〜５のいずれかに記載の机システムにおいて、前記左側に配置される机には、その一側の短辺に沿う脚体にキャスタを設け、他側の短辺に沿う脚体にアジャスタを設けたものであるから、アジャスタを備えた脚体側の机天板の一側を持ち上げるだけで机上パネルを備えた机簡単に移動させることができる。
【発明を実施するための最良の形態】
【００２３】
次に、本発明を具体化した最良の実施形態について説明する。図１は机システムの第１実施形態の斜視図、図２は平面図、図３は第１机の正面図、図４（ａ）は図３のIVa −IVa 矢視図、図４（ｂ）は図３のIVb −IVb 矢視断面図、図５（ａ）は第２机の平面図、図５（ｂ）は第２机の正面図、図６（ａ）は図５（ｂ）のVIa −VIa 矢視図、図６（ｂ）は図５（ｂ）のVIb −VIb 矢視断面図、図７（ａ）は第３机の平面図、図７（ｂ）は第３の机の正面図、図８は第３の机の右側面図、図９は第３机における伸縮動可能な机天板の側面図、図１０は図９のＸ−Ｘ線矢視図、図１１は中間棚板等の取付け部を示す図、図１２は第１実施形態の机システムの室内配置例を示す平面図、図１３（ａ）及び（ｂ）は第１実施形態の机システムの配置替えの態様を示す図、図１４（ａ）及び（ｂ）は第２実施形態の机システムの配置替えの態様を示す図である。
【００２４】
本出願人が先に提案した特開平１１−３２４３６４号公報に開示したように、作業者の脳波の測定結果によれば、作業中の左右側頭部から検出して計測されたα波帯脳波（８〜１３Ｈｚ）の自己相関関数の有効継続時間（τｅ）の変化から、任意の作業が左右どちらの脳半球で主として処理されているかが判別できる、ということが明らかにされている。
【００２５】
そして、右脳的作業は主として、情緒的、感情的な働きに関連した作業であり、例えば、絵画、作曲などの創作活動、各種の企画の案出、図面作成、模型製作、工作作業を実行中に、所定のリズムの音楽を作業者に聞かせると、例えば、交通騒音等のノイズ（阻害音）が聞こえず、外部からの右脳で処理される聴覚的刺激を排除できることがわかっており、さらに、右脳的作業後には、その作業者に所定の映像（例えば、木の葉が風に揺れている映像）を見せると、右脳がリラックスすることがわかっている。
【００２６】
同様に、左脳的作業は主として論理的思考に係る作業であり、例えば計算業務、経理、財務の帳簿類作成、データ、文書の解析作業を実行中に、所定の大きさのホワイトノイズを作業者に聞かせることで他人の話声等の阻害音が聞こえず、外部からの左脳で処理される聴覚的刺激を排除できることがわかっている。また、左脳的作業後には、その作業者に所定のリズムの音楽を聞かせると、当該左脳がリラックスするのである。
【００２７】
さらに、最近の研究によれば、左脳的作業中に、右脳的な音（例えば川の流れの音や海の波の音のような自然界の音）を作業者に聞かせ、また、右脳的作業中に、左脳的な音（音楽）を聞かせると、作業能率が向上する作業者（被検者）が多く、いわゆる作業促進効果があることも判明している。また、前記の阻害音の音圧レベル（騒音レベル）を３０デシベル以下に抑えると、効果的であることも判明している。さらに、作業者が触る机天板の触感（触覚）や机天板の形状、色（色彩）等の雰囲気の視覚によっても脳に与える刺激が異なることや、前記右脳的作業及び左脳的作業が共に促進され、作業能率の低下が少ないことも判明している。このような、所定の雰囲気を最適環境情報という。なお、中間的作業としては電話による会話、インターネットによる通信作業、定型文書の作成作業等がある。
【００２８】
上記のような実験結果を踏まえて、本発明の第１実施形態の机システム４では、図１〜図１３に示す態様を採用したものである。
【００２９】
即ち、第１実施形態の机システム４は、それぞれ異型且つ異色の机天板５、６、７を有し、且つ各机天板に机上パネル１０、１１、１２を備えた３種類の移動可能な机、即ち、第１机１、第２机２及び第３机３の組み合わせからなり、通常は図１及び図２のように、中間作業用の第３机３を挟んで左脳的作業用の第１机１を右側に、右脳的作業用の第２机２を左側に配置して平面視でコ字状（馬蹄形）に配置したり、図１３（ａ）、図１３（ｂ）のように平面視でＬ字状に配置替えできるものである。
【００３０】
左脳的作業用の第１机１（机天板５の上面及び机上パネル１０の内壁面）の色彩と、右脳的作業用の第２机２（机天板６の上面及び机上パネル１１の内壁面）の色彩との組合わせは、同色系ではなく、反対色系の組み合わせが好ましい。
【００３１】
図１〜図４に示す実施形態では、左脳的作業用の第１机１における平面視で略矩形状の机天板５は、木質またはスチール板にて構成した暖色系（白色、ベージュ系）の色彩で無地（模様無し）、表面の手触りが滑らかな感触の質感を有するものを使用している。
【００３２】
そして、この机天板５における長辺のうち後側縁（背面側）５ｂと一方（手前側）の短辺５ｃとを平板状の脚板１３、１４にて支持する一方、机天板５の他方の短辺５ｄには、高さの高い奥パネル１５を取付けする。また、机天板５における長辺の前側縁５ａ（椅子に着座した作業者が対峙する縁）を除き、後側縁（背面側）５ｂと両短辺５ｃ、５ｄを囲むように平板１６、１７及び奥パネル１５の上半部１５ａとにより平面視コ字型に形成された机上パネル１０を立設する。このように構成することにより、第１机１は強固な枠組みとなる。なお、机上パネル１０としては奥パネル１５の上半部１５ａと机天板５における背面側長辺に沿う平板１６とにより、机天板５の外側角部を囲む平面視Ｌ字型であれば良く、他方の平板１７は省略しても良い。なお、机天板５の支持脚体は柱状のものであっても良い。
【００３３】
左脳的作業環境を作り出すために、第１実施形態では、机上パネル１０の内壁面は、その素材が布地（織物）等からなる無地（無模様）の表装パネルで、机上パネル１０の内壁面の色彩は、白色、ベージュ系を使用したが、別の実施形態では寒色系（グリーン、薄い青等）で、クールな感じ（冷たい感じ）の明るい色調としても良い。また、机上パネル１０の内壁面に、コルク板等のピンナップボード１８や磁石吸いつけ用鉄板（図３参照）等の機能ボードを貼り付けても良い。なお別の実施形態として、机上パネル１０の内壁面は、その素材を金属板で無地（無模様）の塗装を施し、その表面の質感は滑らかで凹凸部を形成しないように構成しても良い。
【００３４】
図示実施形態では、左脳的作業用の第１机１に隣接させて中間作業用の第３机３を配置し、両机天板５、７を同一高さして作業面を平面上にするため、机天板５の前側縁５ａのうち奥寄り部位を左方に突出するように湾曲部５ｅが形成され、この第３机３における机天板７の右側縁７ｂと机天板５の前側縁５ａのうち奥寄り部位とを当接させた状態にするのが好ましい。
【００３５】
また、机上パネル１０の上部寄り部位には、机天板５と平行に、平面視ほぼＬ字状の上棚板１９が、平板１７、１６及び奥パネル１５の上半部１５ａのそれぞれ内面にわたるようにして固定されている。さらに、上棚板１９と机天板５との間の高さ位置には、机上パネル１０における奥コーナ部（奥パネル１５の上半部１５ａの前面箇所等）等に、中間棚板２０や小さい棚体等の収納部を着脱自在に取付けするためのレール２１（図２〜図４参照）が固定されている。このレール２１は、図１３に示すように、縦断面でコ字型に形成されて前面に横長の溝２１ａが設けられており、中間棚板２０を支持するブラケット２２の基端の上向き係合爪２３を前記レール２１の溝２１ａ内に挿入し、ブラケット２２の基部背面の合成樹脂製等の当接片２４が机上パネル１０等の前面に当接するように構成されている。なお、第１机１における机天板５の下面に図示しない扁平状の抽斗（ペントレイ）を設けても良く、またワゴン型の袖抽斗２５を配置しても良い。さらに、机上パネル１０における平板１７の前面等に側方からの視線を遮るための半透明状等の目隠しパネル２６（図２、図３及び図４（ａ）の二点鎖線参照）を差し込む等着脱可能に装着して良い。      
【００３６】
上述のように、第１机１は机天板５の前の椅子に着座した人の周囲を、平面視コ字型の机上パネル１０にて囲うようになるので、周囲の視線等を気にすることなく落ち着いた作業環境を付与できる。
【００３７】
右脳的作業環境用の第２机２における机天板６は、平面視ほぼ矩形であるが、その長辺の前面縁や短辺の側縁は全体として丸みを帯びている。そして、机天板６は、例えば、天然木材であって、節目の多い板目が表面に露出するようなやや手触りの荒い触知覚（触覚）のものや、木質系の板の表面にメラミン樹脂等で木質柄を印刷した表皮部を有するものや、模型製作、工作等で多少傷ついても良いものを使用し、暖色系且つ明度の大きい（明るい）色彩等の質感のものを使用した。この机天板６はその背面側に設ける机上パネル１１のための背の高い２本の支柱２７と机天板６の下面の前面寄り部位の２本の脚柱２９とにからなる脚体にて支持されている。脚柱２９と支柱２７とは水平状の横梁３０ａ、３０ｂにて連結されている（図２、図５（ａ）、図５（ｂ）及び図６参照）。これにより、第２机２は強固な枠組みとなる。
【００３８】
そして、机天板６の背面側の机上パネル１１は、木質材の表面を露出させたものを使用するか、木目調の表面シートを貼着したものであり、その机上パネル１１の表面の色彩は、暖色系（赤黄色、ウオールナット色、ブラウン（バーチ）色、ローズウッド色等、赤系色、黄系色）とした。
【００３９】
また、机上パネル１１は全体として解放感を有するように構成されている。そのため、一対の支柱２７、２７の上端及び高さ中途、下端間を連結する横梁３１ａ，３１ｂ，３１ｃ及びそれと机天板６の背面側の上部背板３２との間に横長の大きい空間３３ａ，３３ｂ３３ｃが形成されるようにする。また、机天板６の短辺に沿う上部はパネルな支柱が存在しないようにする。さらに、上側の２つの横梁３１ａ，３１ｂの上下対面にはレール溝が形成され、空間３３ａの一部にホワイトボード３４や金網等による格子パネル３５等の機能ボードが横スライド可能且つ着脱自在に配置されている（図５（ａ）、図６（ｂ）参照）。さらに、上部背板３２の前面には、前記机上パネル１０におけるのと同様にレール２１を設けることにより、棚板や収納箱等の種々のオプション部品を装着できるようにしている。
【００４０】
第２机２を手軽に移動できるようにするため、机天板６における一方の短辺側（好ましくは、右短辺側）の支柱２７の下端と１本の脚柱２９の下端とに、それぞれキャスタ３６が取付けられており、他方の短辺側（好ましくは、左短辺側）の支柱２７の下端と１本の脚柱２９の下端とに、それぞれ高さ調節及び水平調節可能にするためのアジャスタ３７が取付けられている。このように構成すると、アジャスタ３７が取付けられている側の机天板６のみを持ち上げた状態で第２机２を床面に沿って簡単且つ軽く移動させることができる。
【００４１】
中間作業用の第３机３では、その机天板７上にコンピュータ本体、ＣＲＴもしくは液晶のモニタ及びキーボードを置き、コンピュータによるまとめ作業や、各種情報を他の部署等の外部に発信し、また外部からの情報を受信する通信作業等の中間的作業を実行するので、ＬＡＮ、インターネット通信等のためのコンピュータ装置や通信（電話）設備（図示せず）を配置することができる。第３机３は、前向きに伸縮可能な机天板７と、これの背面側を支持する脚体及び棚支持兼用の机上パネル１２とから構成されている（図１、図２、図７（ａ）、図７（ｂ）及び図８参照）。実施形態では、中間作業用の机天板７の部位は金属板等の滑らかな手触りで白色等の寒色系の色彩を採用した。またその机上パネル１２の内壁面の表面が青色等の寒色系の表面材を貼着した。いずれにしても、中間作業用の第３机３に使用する色彩は、左脳的作業用の第１机１に使用した色彩及び右脳的作業用の第２机２に使用した色彩と境界がはっきり認識（明確に）できる色であれば良い。
【００４２】
従って、机上パネル１２は、左右一対の支柱４０と、両支柱４０、４０の間に立設する背板４１と、各支柱４０の下端に前向きに取付けられた足体４２とからなり、足体４２及び支柱４０の下端にはアジャスタ４３が取付けられている。なお、この足体４２は支柱４０に対して着脱可能であり、例えば、第１机１の奥側の一側（左側）に第３机３を隣接し、且つ両者を図示しない連結部材を介して並べて連結固定するときに、その隣接箇所（向かって右側）の足体４２が、着座者の足に対して邪魔になるときには、当該足体４２を取外すことができる。
【００４３】
第３机３における机天板７の前方進出可能な構成は、図８、図９及び図１０に示すように、金属板製の固定天板部４３は前方開放した断面下向きコ字型に形成され、その前向き開口部の下端に横長の支持台４５が固定天板部４３の下端部位にネジ等にて固定され、支持台４５の下面左右両端は支持ブラケット４６に支持され、各支持フランジ４６の基端が支柱４０の前面に着脱可能に取付けられている。従って、固定天板部４３の上面板４３ａと支持台４５との間の開口部にキーボード等を載置するための補助天板４４が進退動可能に挿入されており、パーソナルコンピュータの本体等の情報装置やＣＲＴもしくは液晶のモニタ５３を固定天板部４３に載置する一方、キーボード５４は補助天板４４の上面に載置できるものである（図１２参照）。
【００４４】
なお、机上パネル１２における上端には、ブラケット４８を介して上棚板４７が取付けられ、この上棚板４７の高さ位置を、第１机１における机上パネル１０の上棚板１９と同じ高さ位置になるように設定すれば、広い範囲でプリンタ等の物品を載置できる。また、机上パネル１２の前面のうち、机天板７より上方にレール２１を設け、このレール２１に照明器具の基部や小物のための小棚等を取付けすることができる。なお、背板４１や固定天板部４３や第１机１における机天板５等にも電気装置のための配線の通孔４９ａ、４９ｂを穿設しておくことが好ましい。また、机上パネル１０、１１、１２のそれぞれの前面側に任意に照明器具を配置できることはいうまでもない
本実施形態の３種類の机１、２、３はそれぞれ分離可能で、且つ単独で移動可能に構成されているので、３種類の机１、２、３を図１及び図１２に示すように、平面視でほぼコ字型に配置すれば、この３種類の机１、２、３における机天板５、６、７及び対応する机上パネル１０、１１、１２の内壁面の材質、触感、色彩、形状等の雰囲気を異ならせることができる。これにより、この３種類の机１、２、３で囲まれた平面視ほぼ矩形状の部位に配置した椅子５０に着座した作業者の向きに応じて、当該箇所の作業者が視覚に訴えられる視知覚から、右脳、または左脳に異なる刺激を受けて、それぞれの作業環境が向上し、作業促進するという効果を奏する。
【００４５】
また、図１２に示すように、マンションなどの居住室５１内に、本発明の机システム４の３種類の机１、２、３をコ字型に配置するとき、右脳作業用の第２机２を窓５２に近い箇所に配置すると、第２机２の机上パネル１１や机天板６との配置関係は開放的であるから、窓５２からの光や通気（風）が大きい空間３３ａ、３３ｂや机天板６の短辺側上部の大きい空間（第３机の机上パネル１２の側部との大きい隙間）から作業者の着座側に通り抜けでき、着座者に圧迫感（閉塞感）を与えることがないという効果を奏する。
【００４６】
また、図１３（ａ）に示すように、第１机１の奥側左に第３机３を配置した状態で、且つ第２机２を第３机３の左側方にほぼ直線状に長く配置すれば、全体として机システム４を平面視でほぼＬ型に配置したことになり、この配置関係でもそれぞれの作業区域で適した作業を行うことができる。さらに、図１３（ｂ）に示すように、第１机１の奥側左に第２机２を平面視でほぼＬ型に配置した状態で、第３机３のみを分離して別の向きまたは箇所に配置しても良く、事務室や居住室の大きさ（広さ）、室の形状（間取り）やユーザの好みに応じて、３種類の机１、２、３の配置関係を任意に変更できる（配置替えできる）から、レイアウトの柔軟性（多様性）が向上する。
【００４７】
図１４（ａ）及び図１４（ｂ）に示す第２実施形態のように、机システムは、２種類の机、即ち、右脳作業（中間作業部位を含む）に適した平面視ほぼＬ型の第１机５５と、左脳作業に適した平面視ほぼ矩形状の第２机５６との組み合わせからなるものであっても良い。第１机５５における机天板５７及び上部棚板５８は平面視Ｌ型に形成されているが、その他の構成は第１実施形態の第１机１とほぼ同じであり、第２机５６の構成も第１実施形態と同じにして良い。この構成であっても作業者が向かう机の雰囲気がそれぞれ異なるので、作業の種類に応じて、椅子に着座する人の向きを変えるだけで良い。
【００４８】
なお、各実施形態における机上パネル１０、１１、１２の高さは、椅子に座った着座者の頭部よりも若干（１０〜２０ｃｍ程度）高いものである。
【００４９】
本発明の他の実施形態として、平面視ほぼＬ字型の第１机１における上棚板１９を省略して良い。また、この上棚板１９の代わりに中間棚板を平面視ほぼＬ字型に形成しても良い。
【００５０】
この第１机１における机天板５の奥側の幅寸法を奥パネル１５の幅方向の寸法より短く形成すると共に、第３机３における机天板７や上棚板４１の左右幅寸法を、机上パネル１２の幅寸法より大きくし、第１机１と第３机３とを隣接配置させるとき、少なくとも机天板７や上棚板４１の右端部が奥パネル１５の前面側に張り出すように形成して良い。また、机天板７や上棚板４１の左端部も机上パネル１２の左側部から張り出すように広幅に形成して良い。このようにすると、コンピュータの操作の作業領域を拡げることができる。これらの場合、机天板７も奥行き寸法の大きい１枚ものとして伸縮できない構成にしても良い。
【００５１】
さらに、第３机３における机天板７の高さ位置よりも、第２机２における机天板６の高さ位置を低くなるように形成する。机天板６の高さを低くすることで、椅子に着座した人は右脳的作業用に適した作業姿勢を採ることができる。そして、第３机３と第２机２とを隣接して配置するときに、机天板６の右端部が机天板７の左端部に対して下側に潜り込むように上下に重なるように配置させることができるから、特に平面視で第１机１第３机３及び第２机２をコ字型に配置したときの作業領域（スペース）を広くも狭くも自在に（効果的に）調節できて、作業を効率良く行えるという効果も奏する。
【図面の簡単な説明】
【００５２】
【図１】第１実施形態の机システムのコ字型配置の斜視図である。
【図２】同じく平面図である。
【図３】第１机の正面図である。
【図４】（ａ）は図３のIVa −IVa 矢視図、（ｂ）は図３のIVb −IVb 矢視断面図である。
【図５】（ａ）は第２机の平面図、（ｂ）は第２机の正面図である。
【図６】（ａ）は図５（ｂ）のVIa −VIa 矢視図、（ｂ）は図５（ｂ）のVIb −VIb 矢視断面図である。
【図７】（ａ）は第３机の平面図、（ｂ）は第３の机の正面図である。
【図８】第３の机の右側面図である。
【図９】第３机における伸縮動可能な机天板の側面図である。
【図１０】図９のＸ−Ｘ線矢視図である。
【図１１】中間棚板等の取付け部を示す図である。
【図１２】第１実施形態の机システムの室内配置例を示す平面図である。
【図１３】（ａ）及び（ｂ）は第１実施形態の机システムの配置替えの態様を示す図である。
【図１４】（ａ）及び（ｂ）は第２実施形態の机システムの配置替えの態様を示す図である。
【符号の説明】
【００５３】
１      第１机
２      第２机
３      第３机
４      机システム
５、６、７        机天板
１０、１１、１２、    机上パネル
１５    奥パネル
１６、１７    平板
１９、４７    上棚板
２０    中間棚板
２１    レール
２７    支柱
２９    脚柱
３２、４１    背板
３４    ホワイトボード
３５    格子パネル
３６    キャスタ
３７    アジャスタ
４２    足体
４３    固定天板部
４４    補助天板
４６    支持ブラケット
【図１】
2005287620.tif 000003
【図２】
2005287620.tif 000004
【図３】
2005287620.tif 000005
【図４】
2005287620.tif 000006
【図５】
2005287620.tif 000007
【図６】
2005287620.tif 000008
【図７】
2005287620.tif 000009
【図８】
2005287620.tif 000010
【図９】
2005287620.tif 000011
【図１０】
2005287620.tif 000012
【図１１】
2005287620.tif 000013
【図１２】
2005287620.tif 000014
【図１３】
2005287620.tif 000015
【図１４】
2005287620.tif 000016